(57)【要約】【課題】対象物を締め付けた時に緩みにくい線状体、および締め付けが緩みにくい靴を提供する。【解決手段】線状体１は、一端に貫通孔３が形成され、弾性を有する線状の本体２と、本体２の他端に取付けられ、貫通孔３に係合可能に構成された係止部４を備える。本体２は、長手軸線Ｌに沿って伸びており、ゴム材料で構成されている。係止部４は、本体よりも硬い素材例えばプラスチック材料で構成されている。本体２は、本体２の長手方向において係止部４よりも本体２の一端に近い位置に形成された穴部５と、穴部５に挿入可能に構成され、本体２の長手軸線Ｌの延長線方向に一端から突出して設けられた突出部６を有する。【選択図】図１
2014117415.tif 000002
【特許請求の範囲】
【請求項１】
一端に貫通孔が形成され、弾性を有する線状の本体と、
該本体の他端に取付けられ、前記貫通孔に係合可能に構成された係止部とを備える
線状体。
【請求項２】
前記係止部は、前記本体よりも硬い素材で構成された
請求項１に記載の線状体。
【請求項３】
前記本体は、同本体の長手方向において前記係止部よりも前記本体の一端に近い位置に形成された穴部と、該穴部に挿入可能に構成され、前記本体の長手軸線の延長線方向に前記一端から突出して設けられた突出部とを有する
請求項１または請求項２に記載の線状体。
【請求項４】
前記係止部は、前記本体の長手軸線と略平行な面において、前記貫通孔の面積と略同じ面積の胴部と、該胴部の先端に同胴部の中心軸線と同軸上に配置され、かつ前記本体の長手軸線と略平行な面において、同胴部の面積より大きい面積の頭部とを有する
請求項１〜３のいずれか１つに記載の線状体。
【請求項５】
底部と、
該底部に接合され、略中央領域に形成された開放部を挟んで対向する左右の羽根部を有する甲被部と、
該甲被部の前記羽根部に形成された紐通し穴に挿通され、一端に貫通孔が形成され、弾性を有する線状の本体と、同本体の他端に取付けられ、同貫通孔に係合可能に構成された係止部とを有する線状体とを備える
靴。
【発明の詳細な説明】
【技術分野】
【０００１】
本発明は線状体および靴に関する。詳しくは、例えば靴紐の代わりに使用される線状体およびこのような線状体を使用した靴に係るものである。
【背景技術】
【０００２】
靴は、履物の一種で足を包むものである。そして、靴底以外は、靴紐や帯で固定するものであるが、多くは足を完全に覆うことで固定する。
【０００３】
また、運動して靴が脱げたり、靴が位置ズレしないようにしたりするため、靴紐で強く固定するが、強く締めたつもりの靴紐が時として緩むことがある。
そして、靴紐が緩むと靴は位置ズレして足に力が入らず、時には足が捻挫するといった怪我などが起きることもある。
【０００４】
そこで、例えば特許文献１には、図６に示すような靴紐止めが記載されている。
すなわち、特許文献１に記載された靴紐止め１０１は、図６（ａ）に示すように、中空半球状体（１１１、１１２）から成るものである。一方の中空半球状体１１１は、その前端に係着部１１４が設けられ、後端に他方の中空半球状体１１２と連結する蝶番部（図示せず。）が設けられている。
【０００５】
また、他方の中空半球状体１１２は、その前端に係着部１１４と係着する係着部１１５が設けられ、後端に一方の中空半球状体１１１と連結する蝶番部（図示せず。）が設けられている。
また、中空半球状体（１１１、１１２）には、前端と後端との中間の両側にそれぞれ靴紐挟着部（２１１、２２１）が設けられている。
【０００６】
また、靴紐挟着部（２１１、２２１）は、いずれも鋸歯状のもので、靴紐１２０を挟持して止着できるものである。
従って、図６（ｂ）に示すように、一方の中空半球状体１１１と他方の中空半球状体１１２の間に、靴紐結び目１２１を入れて、係着部同士を係着することで、靴紐結び目１２１の両側の靴紐１２０が靴紐挟着部（２１１、２２１）により強く挟着されることになる。
【先行技術文献】
【特許文献】
【０００７】
【特許文献１】特開平１１−２７６２１０号公報
【発明の概要】
【発明が解決しようとする課題】
【０００８】
しかしながら、特許文献１に記載された靴紐止めは、締めた状態の靴紐に取付けるものであるため、取付けが面倒であり、また、靴紐止めの分だけ靴が重くなるという問題点があった。
また、靴紐とは別の部材であるため、靴紐から外れた場合に、紛失してしまうおそれもあった。
従って、別部材を取付けなくても、紐のように対象物を締め付けた時に緩みにくいものが望まれていた。
【０００９】
本発明は、以上の点に鑑みて創案されたものであり、対象物を締め付けた時に緩みにくい線状体、および締め付けが緩みにくい靴を提供することを目的とする。
【課題を解決するための手段】
【００１０】
上記の目的を達成するために、本発明の線状体は、一端に貫通孔が形成され、弾性を有する線状の本体と、該本体の他端に取付けられ、前記貫通孔に係合可能に構成された係止部とを備える。
【００１１】
ここで、本体が弾性を有することによって、本体は伸縮するので、例えば線状体を靴紐の代わりとして靴の紐通し穴に挿通して使用した場合、紐通し穴の間隔が広がったり、狭まったりして、靴の履きやすさ、履き心地を向上させることができる。
【００１２】
また、本体の他端に取付けられ、一端に形成された貫通孔に係合可能に構成された係止部によって、係止部を貫通孔に係合させるだけで、本体の端部同士を連結させることができる。
【００１３】
また、弾性を有する本体に形成された貫通孔によって、本体は伸縮する、すなわち貫通孔も伸縮する。従って、係止部を貫通孔に係合させたときに係止部が貫通孔を押し広げて、係止部は充分に係合することができる。
【００１４】
また、本発明の線状体において、係止部が、本体よりも硬い素材で構成された場合、係止部が貫通孔をより一層押し広げやすくなり、しかも係止部は圧縮されにくいので、係合の安定性を確実なものにできる。
【００１５】
また、本発明の線状体において、本体は、本体の長手方向において係止部よりも本体の一端に近い位置に形成された穴部と、穴部に挿入可能に構成され、本体の長手軸線の延長線方向に一端から突出して設けられた突出部とを有するものとすることができる。
【００１６】
この場合、穴部が本体の長手方向において係止部よりも本体の一端に近い位置に形成され、また、突出部が本体の長手軸線の延長線方向に一端から突出して設けられているので、本体の端部同士を連結するために両端を向かい合わせて係止部を貫通孔に係合させるときに、穴部と突出部を互いに重なる位置に配置することができる。
【００１７】
また、突出部が、穴部に挿入可能に構成されているので、本体の両端を向い合わせて係止部を貫通孔に係合させるときに、突出部を穴部に挿入でき、本体の端部同士の連結を強化することができる。
【００１８】
また、本発明の線状体において、係止部は、本体の長手軸線と略平行な面において、貫通孔の面積と略同じ面積の胴部と、胴部の先端に胴部の中心軸線と同軸上に配置され、かつ本体の長手軸線と略平行な面において、胴部の面積より大きい面積の頭部とを有するものとすることができる。
【００１９】
この場合、本体の長手軸線と略平行な面において、胴部の面積が貫通孔の面積と略同じなので、胴部が貫通孔の内壁面にしっかりと接触することができ、胴部と貫通孔の内壁面との間の摩擦によって、係止部が貫通孔から外れにくくなる。
また、頭部が、胴部の先端に胴部の中心軸線と同軸上に配置され、かつ本体の長手軸線と略平行な面において、胴部の面積より大きい面積なので、係止部を頭部から貫通孔に挿通して係合させたときに、頭部が、胴部と略同じ面積の貫通孔の周縁領域に引っ掛かり、係止部が貫通孔から外れにくくなる。
【００２０】
また、上記の目的を達成するために、本発明の靴は、底部と、該底部に接合され、略中央領域に形成された開放部を挟んで対向する左右の羽根部を有する甲被部と、該甲被部の前記羽根部に形成された紐通し穴に挿通され、一端に貫通孔が形成され、弾性を有する線状の本体と、同本体の他端に取付けられ、同貫通孔に係合可能に構成された係止部とを有する線状体とを備える。
【００２１】
ここで、線状体の本体が弾性を有することによって、本体は伸縮するので、紐通し穴の間隔が広がったり、狭まったりして、靴の履きやすさ、履き心地を向上させることができる。
【００２２】
また、本体の他端に取付けられ、一端に形成された貫通孔に係合可能に構成された係止部によって、係止部を貫通孔に係合させるだけで、本体の端部同士を連結させることができる。
【発明の効果】
【００２３】
本発明に係る線状体は、対象物を締め付けた時に緩みにくい。
本発明に係る靴は、締め付けが緩みにくい。
【図面の簡単な説明】
【００２４】
【図１】本発明を適用した線状体の一例を示す概略図である。
【図２】図１に示した本発明を適用した線状体の係止部の概略拡大図である。
【図３】本発明を適用した線状体の両端を連結するときに突出部を穴部に挿入しようとする状態の一例を示す概略図（ａ）と、穴部に突出部を挿入して貫通孔に係止部を係合させた状態の一例を示す概略図（ｂ）である。
【図４】本発明を適用した線状体同士を連結させた状態の一例を示す概略図である。
【図５】本発明を適用した靴の一例を示す概略図である。
【図６】従来の靴紐止めを示す概略図（ａ）と、従来の靴紐止めを靴紐結び目に取付けた状態を示す概略図（ｂ）である。
【発明を実施するための形態】
【００２５】
以下、本発明の実施の形態について図面を参照しながら説明し、本発明の理解に供する。
図１は、本発明に係る線状体の一例を示す概略図である。また、図２は、図１に示した本発明に係る線状体の係止部の概略拡大図である。
【００２６】
図１に示す本発明の線状体１は、一端に貫通孔３が形成され、弾性を有する線状の本体２を備える。すなわち、本体２は、長手軸線Ｌに沿って伸びており、また、ゴム材料で構成されている。
【００２７】
また、図１に示す本発明の線状体１は、本体２の他端に取付けられ、貫通孔３に係合可能に構成された係止部４を備える。
また、係止部４は、本体よりも硬い素材例えばプラスチック材料で構成されている。
【００２８】
係止部４は、本体２の長手軸線Ｌと略平行な面（ＸＹ平面）における面積がＸＹ平面における貫通孔３の面積と略同じである、略四角柱の胴部４Ａを有する。
【００２９】
また、係止部４は、胴部４Ａの先端に胴部４Ａの中心軸線Ｃと同軸上に配置され、かつ胴部４ＡのＸＹ平面における面積より大きい、ＸＹ平面における面積の頭部４Ｂを有する。
【００３０】
また、係止部４は、本体２に埋め込まれ、本体２の一方の面（図１参照。）と他方の面（図２参照。）とにそれぞれ表面が露出し、胴部４Ａを支持する台部４Ｃを有する。
【００３１】
また、ＸＹ平面における、胴部４Ａ、頭部４Ｂ、台部４Ｃおよび貫通孔３の形状は略同じである。すなわち、略四角形である。
また、ＸＹ平面における、頭部４Ｂと台部４Ｃの面積は略同じである。
【００３２】
また、係止部４は、本体２に脱着可能に取付けられており、利用者は、好みの色の係止部に取り替えることができる。
【００３３】
また、本体２は、本体２の長手方向において係止部４よりも本体２の一端に近い位置に形成された穴部５を有する。また、本体２は、穴部５に挿入可能に構成され、本体２の長手軸線Ｌの延長線方向に一端から突出して設けられた突出部６を有する。
【００３４】
ここで、本発明の線状体が、一端に貫通孔が形成され、弾性を有する線状の本体と、本体の他端に取付けられ、貫通孔に係合可能に構成された係止部とを備えるのであれば、必ずしも係止部は、プラスチック材料など本体より硬い素材で構成されていなくてもよく、例えば本体と同じゴム材料で構成することも考えられる。
【００３５】
しかし、係止部が、本体よりも硬い素材で構成されていれば、係止部が貫通孔をより一層押し広げやすくなり、しかも係止部は圧縮されにくいので、係合の安定性を確実なものにできるので好ましい。
【００３６】
また、本発明の線状体が、一端に貫通孔が形成され、弾性を有する線状の本体と、本体の他端に取付けられ、貫通孔に係合可能に構成された係止部とを備えるのであれば、必ずしも本体は、穴部と突出部を有していなくてもよい。
【００３７】
しかし、本体が穴部と突出部とを有していれば、本体の両端を向い合わせて係止部を貫通孔に係合させるときに、突出部を穴部に挿入でき、本体の端部同士の連結を強化することができるので好ましい。
【００３８】
また、本発明の線状体が、一端に貫通孔が形成され、弾性を有する線状の本体と、本体の他端に取付けられ、貫通孔に係合可能に構成された係止部とを備えるのであれば、必ずしもＸＹ平面における、胴部、頭部、台部および貫通孔の形状は略四角形でなくてもよく、例えば略円形、略三角形、略五角形、略六角形、星形とすることもできる。
【００３９】
また、本発明の線状体が、一端に貫通孔が形成され、弾性を有する線状の本体と、本体の他端に取付けられ、貫通孔に係合可能に構成された係止部とを備えるのであれば、必ずしも本体の長手軸線と略平行な面における胴部の面積は、本体の長手軸線と略平行な面における貫通孔の面積と略同じでなくてもよい。
【００４０】
しかし、本体の長手軸線と略平行な面において、胴部の面積が貫通孔の面積と略同じであれば、胴部が貫通孔の内壁面にしっかりと接触することができ、胴部と貫通孔の内壁面との間の摩擦によって、係止部が貫通孔から外れにくくなるので好ましい。
【００４１】
また、本発明の線状体が、一端に貫通孔が形成され、弾性を有する線状の本体と、本体の他端に取付けられ、貫通孔に係合可能に構成された係止部とを備えるのであれば、必ずしも本体の長手軸線と略平行な面における頭部の面積は、本体の長手軸線と略平行な面における胴部の面積より大きくなくてもよい。
【００４２】
しかし、本体の長手軸線と略平行な面において、頭部の面積が胴部の面積より大きければ、係止部を頭部から貫通孔に挿通して係合させたときに、頭部が、胴部と略同じ面積の貫通孔の周縁領域に引っ掛かり、係止部が貫通孔から外れにくくなるので好ましい。
【００４３】
次に、本発明の線状体の両端を連結する手順を説明する。
図３は、本発明に係る線状体の両端を連結するときに突出部を穴部に挿入しようとする状態の一例を示す概略図（ａ）と、穴部に突出部を挿入して貫通孔に係止部を係合させた状態の一例を示す概略図（ｂ）である。
【００４４】
図３（ａ）に示すように、本発明の線状体１の本体の両端を互いに近づけて、突出部６を穴部５に挿入する。
そして、係止部４を本体２の一方の面から貫通孔３に押し込んで、係止部４の頭部４Ｂを貫通孔３から押し出す。本体２はゴム材料で構成されているので、貫通孔３も適宜広がる。
【００４５】
このような手順により、図３（ｂ）に示すように、胴部４Ａは貫通孔３内に収まり、頭部４Ｂは貫通孔３から出て、貫通孔３の周縁領域に接した状態で、係合部４が貫通孔３に係合することになる。
【００４６】
また、図３（ｂ）に示すように、貫通孔が形成された箇所の本体２の厚みは、係止部４の胴部４Ａの中心軸線Ｃに沿った長さと略同じである。
従って、図３（ｂ）に示すように、貫通孔３が形成された一端は、係止部４が取付けられた他端や係止部４の頭部４Ｂに接触する。よって、本体２の一端は、本体２の他端や頭部４Ｂとの間の摩擦によって位置ズレが起きにくくなり、両端の連結は解けにくくなる。
【００４７】
図４は、本発明に係る線状体同士を連結させた状態の一例を示す概略図である。
図３には、１つの本発明の線状体１の両端を連結させた例を示したが、図４には、２つの本発明の線状体１の端部同士を連結させた例を示している。
【００４８】
２つの本発明の線状体１の端部同士を連結させる方法も、図３に示した連結方法と同様である。
すなわち、一方の本発明の線状体１の貫通孔３が形成された一端と、他方の本発明の線状体１の係止部４が取付けられた他端とを互いに近づけて、突出部６を穴部５に挿入する。
【００４９】
そして、他方の本発明の線状体１の係止部４を、一方の本発明の線状体１の貫通孔３に押し込んで、係止部４の頭部４Ｂを貫通孔３から押し出す。
なお、図４には、２つの本発明の線状体１を互いに連結した例を示しているが、本発明の線状体１を３つ以上連結することもできることは勿論である。
【００５０】
図５は、本発明に係る靴の一例を示す概略図である。
図５に示す本発明の靴２１は、底部（図示せず。）と、底部（図示せず。）に接合され、略中央領域に形成された開放部２４を挟んで対向する左羽根部２２Ａおよび右羽根部２２Ｂを有する甲被部２２とを備える。
【００５１】
また、甲被部２２には、足を入れたり出したりするための空間である履き口２６が形成されている。
また、開放部２４は、足の甲に対応する領域に形成されている。また、開放部２４は、履き口２６から靴２１の前方（つま先側）へと連続して形成されている。
【００５２】
また、開放部２４に沿う左羽根部２２Ａおよび右羽根部２２Ｂの縁部には、靴紐を通すための複数の紐通し穴２３が所定の間隔で形成されている。
【００５３】
また、ベロ部２５が開放部２４に配置されている。そして、ベロ部２５の左右両側部は、左羽根部２２Ａおよび右羽根部２２Ｂの内側面に接している。
【００５４】
また、ベロ部２５の前端部（つま先側端部）は、靴２１のつま先部と接合されている。また、ベロ部２５の前端部は、複数の紐通し穴２３のうち最も靴２１のつま先に近い紐通し穴よりもつま先に近い左羽根部２２Ａおよび右羽根部２２Ｂの部分に接合されている。
【００５５】
また、図５に示す本発明の靴２１は、紐通し穴２３に挿通された本発明の線状体１を備える。
【００５６】
また、図５に示すように、対向する左右の紐通し穴２３に、本発明の線状体１を１つずつ挿通し、本発明の線状体１の両端を連結する。これにより、靴紐で締め付けた状態と同じように、靴の甲被部を締め付けることができる。
【００５７】
また、図５に示すように、本発明の線状体１の両端を連結した状態は、係止部４の頭部４Ｂが見える状態である。
【００５８】
また、図５に示す例では、対向する左右の紐通し穴に、本発明の線状体を１つずつ挿通しているが、必ずしもこのような挿通の形に限定されないことは勿論である。
すなわち、例えば、本発明の線状体同士を図４に示すように連結して長い紐状と成し、通常の靴紐を紐通し穴に挿通するように斜めに交差させて挿通することもできる。
【００５９】
以上のように、本発明の線状体は、本体の他端に取付けられ、一端に形成された貫通孔に係合可能に構成された係止部を備えているので、係止部を貫通孔に係合させるだけで、本体の端部同士を連結させることができる。
また、弾性を有する本体に形成された貫通孔によって、本体は伸縮する、すなわち貫通孔も伸縮する。従って、係止部を貫通孔に係合させたときに係止部が貫通孔を押し広げて、係止部は充分に係合することができる。
【００６０】
よって、本発明の線状体は、紐の結び目とは異なる連結機構により、対象物を締め付けた時に緩みにくい。
また、本発明の線状体を靴紐の代わりに使用した本発明の靴も、当然ながら締め付けが緩みにくい。
【００６１】
また、本発明の靴は、締め付けが緩みにくいので、靴紐が緩んだ時のような怪我の発生も軽減できる。また、締め付けが緩みにくいので、解けにくくもなる。
また、線状体の本体はゴム材料で構成されているので、伸縮性により、靴の脱着が容易となり、履き心地もよい。
【００６２】
また、互いに異なる色を有する本体もしくは互いに異なる色を有する係止部を備えた本発明の線状体を複数用いることで、通常の１本の靴紐では不可能な、色彩の豊かさを表出することができる。従って、靴のファッション性が向上すると共に、他人の靴との違いが一目瞭然となり、履き違えることもなくなる。
【００６３】
また、本発明の線状体を、靴紐の代わりとして使用した例を説明したが、本発明の線状体の用途は、これに限定されるものではなく、例えば、図４に示すように本発明の線状体を複数連結して、ネックレスのように首に巻くことも考えられる。
【符号の説明】
【００６４】
１    線条体
２    本体
３    貫通孔
４    係止部
４Ａ  胴部
４Ｂ  頭部
４Ｃ  台部
５    穴部
６    突出部
２１    靴
２２    甲被部
２２Ａ  左羽根部
２２Ｂ  右羽根部
２３    紐通し穴
２４    開放部
２５    ベロ部
２６    履き口
Ｌ    長手軸線
Ｃ    中心軸線
【図１】
2014117415.tif 000003
【図２】
2014117415.tif 000004
【図３】
2014117415.tif 000005
【図４】
2014117415.tif 000006
【図５】
2014117415.tif 000007
【図６】
2014117415.tif 000008